(57)【要約】【課題】角が丸められた表示領域を有するベゼルレス表示装置などでも同一設計のデータ駆動回路を使用可能にする。【解決手段】表示装置は、(i)表示領域に配列されたデータラインに対応する順に配列された出力端子を含むデータ駆動回路、(ii)表示領域の第１領域に配列されたデータラインに対応する出力端子と連結された第１端部、及びデータ駆動回路の一側端部と隣接した領域に配置された第１コンタクト部と連結された第２端部を含む第１ファンアウトライン、(iii)表示領域の第２領域に配列されたデータラインに対応する出力端子と連結された第１端部、及び前記第２領域に配列されたデータラインと連結された第２端部を含む第２ファンアウトライン、及び(iv)非表示領域及び表示領域にわたって配置され、前記第１コンタクト部と連結された第１端部、及び、前記第１領域に配列されたデータラインと連結された第２端部を含む迂回ファンアウトラインを含む。【選択図】図２
2020166239.tif 000002
【特許請求の範囲】
【請求項１】
複数のデータラインが配列された表示領域、及び、前記表示領域を囲む非表示領域を含む表示装置であって、
前記非表示領域に配置され、前記複数のデータラインにデータ電圧を、前記複数のデータラインの配列の順に出力する複数の出力端子を含むデータ駆動回路と、
前記非表示領域に配置され、前記表示領域の第１領域に配列されたデータラインに対応する出力端子と連結された第１端部、及び、前記データ駆動回路の一側端部と隣接した領域に配置された第１コンタクト部と連結された第２端部を含む第１ファンアウトラインと、
前記非表示領域に配置され、前記表示領域の第２領域に配列されたデータラインに対応する出力端子と連結された第１端部、及び、前記第２領域に配列されたデータラインと連結された第２端部を含む第２ファンアウトラインと、
前記非表示領域及び前記表示領域にわたって配置され、前記第１コンタクト部と連結された第１端部、及び、前記第１領域に配列されたデータラインと連結された第２端部を含む迂回ファンアウトラインとを含む、表示装置。
【請求項２】
前記非表示領域は、前記表示領域の第２領域から第１方向に拡張された第１非表示領域、及び、前記表示領域の外縁を囲む第２非表示領域を含み、
前記第１ファンアウトライン、前記第２ファンアウトライン、及び前記迂回ファンアウトラインは、前記第１非表示領域に配置され、
前記第１ファンアウトラインは、前記データ駆動回路の長手方向に対して垂直の方向に延長されてから、前記長手方向へと折り曲げられていることを特徴とする、請求項１に記載の表示装置。
【請求項３】
前記第２ファンアウトラインの第２端部は、第２コンタクト部を介して前記第２領域に配列されたデータラインの端部と連結され、
前記第２コンタクト部は、前記第２領域の外縁に対応する第２非表示領域に配置されることを特徴とする、請求項１に記載の表示装置。
【請求項４】
前記迂回ファンアウトラインの第２端部は、第３コンタクト部を介して前記第１領域に配列されたデータラインの端部と連結されており、
前記第３コンタクト部は、前記第１領域の外縁に対応する第２非表示領域に配置されることを特徴とする、請求項１に記載の表示装置。
【請求項５】
前記第１非表示領域は、前記データ駆動回路と、前記表示領域の第２領域との間に配置されたファンアウト領域を含み、
前記表示領域の第２領域と隣接した前記ファンアウト領域には、第２ファンアウトラインと、前記迂回ファンアウトラインとが交互に配置され、
前記表示領域の第２領域と隣接した前記ファンアウト領域には、前記第２ファンアウトラインと前記迂回ファンアウトラインとに重なり合う電源電圧ラインが配置されることを特徴とする、請求項１に記載の表示装置。
【請求項６】
複数の第１ファンアウトラインのうちの一部は、第１絶縁層の上に配置され、残りの一部は、前記第１絶縁層の上に配置された第２絶縁層の上に配置されることを特徴とする、請求項５に記載の表示装置。
【請求項７】
複数の第２ファンアウトラインのうちの一部は、第１絶縁層上に配置され、残りの一部は前記第１絶縁層の上に配置された第２絶縁層の上に配置され、
前記データライン及び前記電源電圧ラインは、前記第２絶縁層の上に配置された第３絶縁層の上に配置され、
前記迂回ファンアウトラインは、前記第３絶縁層の上に配置された第４絶縁層の上に配置されることを特徴とする、請求項５に記載の表示装置。
【請求項８】
前記ファンアウト領域は、前記データ駆動回路と隣接した第１ファンアウト領域、及び、前記表示領域と隣接した第２ファンアウト領域を含み、前記第１ファンアウト領域と、前記第２ファンアウト領域との間に、ベンディング領域を含むことを特徴とする、請求項５に記載の表示装置。
【請求項９】
前記第１コンタクト部は、前記データ駆動回路と前記ベンディング領域との間に配置されることを特徴とする、請求項８に記載の表示装置。
【請求項１０】
前記第１コンタクト部は、前記ベンディング領域と前記表示領域との間に配置されることを特徴とする、請求項８に記載の表示装置。
【請求項１１】
前記表示領域に配列された前記迂回ファンアウトラインは、前記データライン同士の間に配置される直線部、及び、前記データラインと交差する交差部を含むことを特徴とする、請求項１に記載の表示装置。
【請求項１２】
前記表示領域は、角が丸められた四角形であり、前記第１領域は、このように角が丸められた領域に対応し、前記第２領域は、前記表示領域の中央側の領域に対応することを特徴とする、請求項１に記載の表示装置。
【請求項１３】
前記表示領域に配置されたトランジスタと、
前記トランジスタ上に配置されて、前記トランジスタに連結された第１電極、前記第１電極上に配置された発光層、及び、前記発光層上に配置された第２電極を含む有機発光ダイオードとを、さらに含むことを特徴とする、請求項１に記載の表示装置。
【請求項１４】
複数のデータラインが配列された表示領域及び前記表示領域を囲む非表示領域を含む表示装置であって、
前記非表示領域に配置され、前記複数のデータラインにデータ電圧を、前記複数のデータラインの配列の順に出力する、複数の出力端子を含むデータ駆動回路と、
前記非表示領域に配置され、前記表示領域の第１領域に配列されたデータラインに対応する出力端子と連結された第１端部、及び、前記データ駆動回路の一側端部と隣接した領域に配置された第１コンタクト部と連結された第２端部を含む第１ファンアウトラインと、
前記非表示領域に配置され、前記表示領域の第２領域に配列されたデータラインに対応する出力端子と連結された第１端部、及び、前記第２領域に配列されたデータラインと連結された第２端部を含む第２ファンアウトラインと、
前記非表示領域及び前記表示領域にわたって配置され、前記第１コンタクト部と連結された第１端部、及び、前記第１領域に配列されたデータラインと連結された第２端部を含む迂回ファンアウトラインと、
前記第２ファンアウトラインと前記迂回ファンアウトラインとの間に配置され、前記第２ファンアウトラインと前記迂回ファンアウトラインとに重なり合う遮蔽電極を含む、表示装置。
【請求項１５】
前記第２ファンアウトラインの第２端部は、第２コンタクト部を介して前記第２領域に配列されたデータラインの端部と連結され、
前記第２コンタクト部は、前記第２領域の外縁に対応する非表示領域に配置されることを特徴とする、請求項１４に記載の表示装置。
【請求項１６】
前記迂回ファンアウトラインの第２端部は、第３コンタクト部を介して前記第１領域に配列されたデータラインの端部と連結され、
前記第３コンタクト部は、前記第１領域の外縁に対応する非表示領域に配置されることを特徴とする、請求項１４に記載の表示装置。
【発明の詳細な説明】
【技術分野】
【０００１】
本発明は表示装置に関し、より詳しくは、製造費用を減らすための表示装置に関する。
【背景技術】
【０００２】
最近、技術が発展するにつれて、小型化、軽量化されるとともに、性能はより優れたディスプレイ製品が生産されている。今まで、ディスプレイ装置には、既存のブラウン管テレビジョン（cathode ray tube:ＣＲＴ）が、性能や価格面で多くの長所を有していることから広く使われていたのであるが、小型化または携帯性の面でＣＲＴの短所を克服し、小型化、軽量化、及び低電力消費などの長所を有する表示装置として、例えば、プラズマ表示装置、液晶表示装置、及び有機発光表示装置などが注目を受けている。
【０００３】
前記表示装置は、映像が表示される表示領域と、これを囲む非表示領域である周辺領域とを含む。ベゼルレス（bezel-less）ディスプレイまたはインフィニティ（infinity；超狭額縁）ディスプレイなどの、前記周辺領域を縮小した表示装置の需要が増加すると共に、前記表示領域の角が丸められた形態などの多様な形状の表示装置を開発している。
【先行技術文献】
【特許文献】
【０００４】
【特許文献１】特開2015-82110号公報 (特許6474571; KR10-2015-0047400A)
【特許文献２】特表2016-527554号公報 (WO2015/013994)
【発明の概要】
【発明が解決しようとする課題】
【０００５】
ここに、本発明の技術的課題はこのような点について着眼したものであって、本発明の目的は、ファンアウトラインの配列を改善してデータ駆動回路の開発費用を節減するための表示装置を提供することにある。
【課題を解決するための手段】
【０００６】
前記の本発明の目的を実現するための一実施形態に従う、複数のデータラインが配列された表示領域及び前記表示領域を囲む非表示領域を含む表示装置は、(i)前記非表示領域に配置され、前記複数のデータラインにデータ電圧を前記複数のデータラインの配列の順に出力する複数の出力端子を含むデータ駆動回路、(ii)前記非表示領域に配置され、前記表示領域の第１領域に配列されたデータラインに対応する出力端子と連結された第１端部、及び、前記データ駆動回路の一側端部と隣接した領域に配置された第１コンタクト部と連結された第２端部を含む第１ファンアウトライン、(iii)前記非表示領域に配置され、前記表示領域の第２領域に配列されたデータラインに対応する出力端子と連結された第１端部、及び、前記第２領域に配列されたデータラインと連結された第２端部を含む第２ファンアウトライン、及び(iv)前記非表示領域及び前記表示領域に配置され、前記第１コンタクト部と連結された第１端部及び前記第１領域に配列されたデータラインと連結された第２端部を含む迂回ファンアウトラインを含む。
【０００７】
本発明の一実施形態において、前記非表示領域は、前記表示領域の第２領域から第１方向に拡張された第１非表示領域、及び、前記表示領域の外縁を囲む第２非表示領域を含み、前記第１ファンアウトライン、前記第２ファンアウトライン、及び前記迂回ファンアウトラインは、前記第１非表示領域に配置される。
【０００８】
本発明の一実施形態において、前記第１ファンアウトラインは、前記データ駆動回路の長手方向に対して垂直の方向に延長されてから、前記長手方向へと折り曲げられている。
【０００９】
本発明の一実施形態において、前記第２ファンアウトラインの第２端部は、第２コンタクト部を介して前記第２領域に配列されたデータラインの端部と連結されており、前記第２コンタクト部は、前記第２領域の外縁に対応する第２非表示領域に配置される。
【００１０】
本発明の一実施形態において、前記迂回ファンアウトラインの第２端部は、第３コンタクト部を介して前記第１領域に配列されたデータラインの端部と連結されており、前記第３コンタクト部は、前記第１領域の外縁に対応する第２非表示領域に配置される。
【００１１】
本発明の一実施形態において、前記第１非表示領域は、前記データ駆動回路と前記表示領域の第２領域との間に配置されたファンアウト領域を含み、前記表示領域の第２領域と隣接した前記ファンアウト領域には、第２ファンアウトラインと、前記迂回ファンアウトラインとが交互に配置される。
【００１２】
本発明の一実施形態において、前記表示領域の第２領域と隣接した前記ファンアウト領域には、前記第２ファンアウトラインと前記迂回ファンアウトラインとに重なり合う電源電圧ラインが配置される。
【００１３】
本発明の一実施形態において、複数の第１ファンアウトラインのうちの一部は、第１絶縁層の上に配置され、残りの一部は、前記第１絶縁層の上に配置された第２絶縁層の上に配置される。
【００１４】
本発明の一実施形態において、複数の第２ファンアウトラインのうちの一部は、第１絶縁層の上に配置され、残りの一部は、前記第１絶縁層の上に配置された第２絶縁層の上に配置される。
【００１５】
本発明の一実施形態において、前記データライン及び前記電源電圧ラインは、前記第２絶縁層上に配置された第３絶縁層の上に配置される。
【００１６】
本発明の一実施形態において、前記迂回ファンアウトラインは、前記第３絶縁層上に配置された第４絶縁層の上に配置される。
【００１７】
本発明の一実施形態において、前記ファンアウト領域は、前記データ駆動回路と隣接した第１ファンアウト領域、及び、前記表示領域と隣接した第２ファンアウト領域を含み、前記第１ファンアウト領域と前記第２ファンアウト領域との間にベンディング領域を含む。
【００１８】
本発明の一実施形態において、前記第１コンタクト部は、前記データ駆動回路と前記ベンディング領域との間に配置される。
【００１９】
本発明の一実施形態において、前記第１コンタクト部は、前記ベンディング領域と前記表示領域との間に配置される。
【００２０】
本発明の一実施形態において、前記表示領域に配列された前記迂回ファンアウトラインは、前記データライン同士の間に配置される直線部、及び、前記データラインと交差する交差部を含む。
【００２１】
本発明の一実施形態において、前記表示領域は四隅の角が丸められた四角形であり、前記第１領域は、このように角が丸められた領域に対応し、前記第２領域は、前記表示領域の中央側の領域に対応する。
【００２２】
本発明の一実施形態において、前記表示装置は、(i)前記表示領域に配置されたトランジスタと、(ii)前記トランジスタ上に配置されて、前記トランジスタに連結された第１電極、前記第１電極上に配置された発光層、及び前記発光層上に配置された第２電極を含む有機発光ダイオードとを、さらに含む。
【００２３】
前記の本発明の目的を実現するための一実施形態に従う、複数のデータラインが配列された表示領域及び前記表示領域を囲む非表示領域を含む表示装置は、(i)前記非表示領域に配置され、前記複数のデータラインにデータ電圧を前記複数のデータラインの配列の順に出力する複数の出力端子を含むデータ駆動回路、(ii)前記非表示領域に配置され、前記表示領域の第１領域に配列されたデータラインに対応する出力端子と連結された第１端部、及び、前記データ駆動回路の一側端部と隣接した領域に配置された第１コンタクト部と連結された第２端部を含む第１ファンアウトライン、(iii)前記非表示領域に配置され、前記表示領域の第２領域に配列されたデータラインに対応する出力端子と連結された第１端部、及び、前記第２領域に配列されたデータラインと連結された第２端部を含む第２ファンアウトライン、(iv)前記非表示領域及び前記表示領域に配置され、前記第１コンタクト部と連結された第１端部、及び、前記第１領域に配列されたデータラインと連結された第２端部を含む迂回ファンアウトライン、及び(v)前記第２ファンアウトラインと前記迂回ファンアウトラインとの間に配置され、前記第２ファンアウトライン及び前記迂回ファンアウトラインと重なる遮蔽電極を含む。
【００２４】
本発明の一実施形態において、前記第２ファンアウトラインの第２端部は、第２コンタクト部を介して、前記第２領域に配列されたデータラインの端部と連結されており、前記第２コンタクト部は、前記第２領域の外側縁部に対応する非表示領域に配置される。
【００２５】
本発明の一実施形態において、前記迂回ファンアウトラインの第２端部は、第３コンタクト部を介して前記第１領域に配列されたデータラインの端部と連結され、前記第３コンタクト部は、前記第１領域の外側縁部に対応する非表示領域に配置される。
【発明の効果】
【００２６】
本発明の実施形態によれば、前記データ駆動回路に配列された出力端子の配列順序を、前記表示領域に配列されたデータラインの配列順序と同一に設計できるので、新規データ駆動回路の開発費用を節減することができる。また、前記ファンアウト領域に配列される前記ファンアウトラインを、互いに異なる少なくとも２層にそれぞれ形成し、前記迂回ファンアウトラインは、前記ファンアウトラインと異なる層であるソース金属層で形成することによって、信号ラインを部分的に重ね合わせて配列することにより、前記ファンアウト領域のサイズを縮めることができる。
【００２７】
但し、本発明の効果は前記の効果に限定されるのでなく、本発明の思想及び領域から逸脱しない範囲で多様に拡張できる。
【図面の簡単な説明】
【００２８】
【図１】本発明の一実施形態に従う表示装置の平面図である。
【図２】本発明の一実施形態に従う表示装置の部分拡大平面図である。
【図３】本発明の一実施形態に従う表示装置のファンアウト領域に配列された信号ラインを説明するための平面図である。
【図４】本発明の一実施形態に従う表示装置の断面図である。
【図５】本発明の一実施形態に従う表示装置の部分拡大平面図である。
【図６】本発明の実施形態に従う電子機器を示すブロック図である。
【図７ａ】図６の電子機器が薄型テレビ(flat-panel TV)として具現された一例を示す図である。
【図７ｂ】図６の電子機器がスマートフォンとして具現された一例を示す図である。
【発明を実施するための形態】
【００２９】
以下、図面を参照して本発明の好ましい実施形態をより詳細に説明する。
【００３０】
図１は、本発明の一実施形態に従う表示装置の平面図である。
【００３１】
図１を参照すると、前記表示装置１０００は、映像が表示される表示領域ＤＡ、及び前記表示領域ＤＡに隣接し、前記表示領域ＤＡを囲む周辺領域ＰＡを含む。
【００３２】
前記表示領域ＤＡは、第１方向（Ｄ１）、及び、前記第１方向（Ｄ１）と垂直な第２方向（Ｄ２）に沿って延びるように形成された平面上に、角が丸められた矩形の形態に形成できる。
【００３３】
前記表示領域ＤＡは、前記第１方向（Ｄ１）に延長された中央線ＣＴを基準に、左右対称である、第１側（左側）領域ＬＡと第２側（右側）領域ＲＡとを含む。前記第１及び第２側領域ＬＡ、ＲＡの各々は、左右の外側に位置する第１領域Ａ１、及び、その内側に位置する第２領域Ａ２を含む。前記第１領域Ａ１は、前記表示領域ＤＡのうちの丸められた隅角部に対応する領域、すなわち、第１方向Ｄ１の両縁が、丸められた曲線となっている領域であり、前記第２領域Ａ２は、前記表示領域ＤＡのうちの中央線側の領域、すなわち、第１方向Ｄ１の両縁が、第２方向Ｄ２に延びる直線となっている領域である。
【００３４】
前記表示領域ＤＡには、映像を表示するためにマトリックスの形態に配置され、薄膜トランジスタを含む、複数の画素と、前記画素に電気的に連結される複数のデータライン（ＤＬ１，．．．，ＤＬＭ）と、前記複数のデータライン（ＤＬ１，．．．，ＤＬＭ）と交差する複数のゲートラインとを含むことができる。
【００３５】
前記複数のデータライン（ＤＬ１，．．．，ＤＬＭ）は、それぞれが前記第１方向（Ｄ１）に延長され、前記第２方向（Ｄ２）に配列される。前記複数のゲートラインは、それぞれが前記第２方向（Ｄ２）に延長され、前記第１方向（Ｄ１）に配列されうる。
【００３６】
前記第１側領域ＬＡには、第１乃至第ｍデータライン（ＤＬ１，．．．，ＤＬｍ）が配列され、前記第２側領域ＲＡには、第ｍ＋１乃至第Ｍデータライン（ＤＬｍ＋１，．．．，ＤＬＭ）が配列されうる。
【００３７】
前記第１側領域ＬＡの第１領域Ａ１には、前記第１乃至第ｍデータライン（ＤＬ１，．．．，ＤＬｍ）のうち、第１乃至第ｋデータライン（ＤＬ１，．．．，ＤＬｋ）が配列され、前記第１側領域ＬＡの第２領域Ａ２には、第ｋ＋１乃至第ｍデータライン（ＤＬｋ＋１，．．．，ＤＬｍ）が配列されうる。
【００３８】
前記第２側領域ＲＡの第１領域Ａ１には、前記第ｍ＋１乃至第Ｍデータライン（ＤＬｍ＋１，．．．，ＤＬＭ）のうち、第ｍ＋１乃至第ｑデータライン（ＤＬｍ＋１，．．．，ＤＬｑ）が配列され、前記第２側領域ＲＡの第２領域Ａ２には第ｑ＋１乃至第Ｍデータライン（ＤＬｑ＋１，．．．，ＤＬＭ）が配列できる。ここで、ｋ、ｍ、ｑ、及びＭは、ｋ＜ｍ＜ｑ＜Ｍのとおりの自然数である。
【００３９】
前記表示領域ＤＡは、複数の迂回ファンアウトライン（ＣＬ１，．．．，ＣＬｋ及びＣＬｑ＋１，．．．，ＣＬＭ）が配列された迂回ライン領域ＣＬＡを含む。複数の迂回ファンアウトライン（ＣＬ１，．．．，ＣＬｋ及びＣＬｑ＋１，．．．，ＣＬＭ）の各々は、データライン同士の間に配置される直線部ａ１及びａ２と、これらデータラインに交差する交差部ｂ２とを含むことができる。
【００４０】
前記複数の迂回ファンアウトライン（ＣＬ１，．．．，ＣＬｋ）は、前記第１側領域ＬＡの第１領域Ａ１に配列された前記第１乃至第ｋデータライン（ＤＬ１，．．．，ＤＬｋ）と、これらにそれぞれ該当する複数のファンアウトラインとを連結する。
【００４１】
また、前記複数の迂回ファンアウトライン（ＣＬｑ＋１，．．．，ＣＬＭ）は、前記第２側領域ＲＡの第１領域Ａ１に配列された前記第ｑ＋１乃至第Ｍデータライン（ＤＬｑ＋１，．．．，ＤＬＭ）と、これらにそれぞれ該当する複数のファンアウトラインを連結する。
【００４２】
前記周辺領域ＰＡは、第１非表示領域ＮＤＡ１及び第２非表示領域ＮＤＡ２を含むことができる。
【００４３】
前記第１非表示領域ＮＤＡ１は、前記表示領域ＤＡにおける中央線側の領域から第１方向（Ｄ１）に一方へと拡張されて形成されている。例えば、前記第１非表示領域ＮＤＡ１は、前記表示領域ＤＡのうち、前記第２領域Ａ２から一方へと拡張された領域を含むことができる。前記第１非表示領域ＮＤＡ１は、パッド領域ＰＤＡ及びファンアウト領域ＦＯＡを含む。
【００４４】
前記パッド領域ＰＤＡはデータ駆動回路ＤＩＣが実装される領域であって、前記データ駆動回路ＤＩＣの端子と接触する複数のパッドが配列されうる。
【００４５】
前記ファンアウト領域ＦＯＡは、前記データ駆動回路ＤＩＣの出力端子と、前記表示領域ＤＡの複数のデータライン（ＤＬ１，．．．，ＤＬＭ）とを連結する、複数のファンアウトラインが配列されうる。
【００４６】
一実施形態において、前記ファンアウト領域ＦＯＡは、前記データ駆動回路ＤＩＣと隣接した第１ファンアウト領域ＦＯＡ１、及び、前記表示領域ＤＡと隣接した第２ファンアウト領域ＦＯＡ２を含んでおり、前記第１ファンアウト領域ＦＯＡ１と、前記第２ファンアウト領域ＦＯＡ２との間に、ベンディング領域ＢＡが区画形成されうる。前記ベンディング領域ＢＡは、モジュール組立工程にて、前記表示装置の後面側にベンディングされる領域である。
【００４７】
前記ファンアウト領域ＦＯＡに形成された複数のファンアウトラインは、前記表示領域ＤＡの複数のデータライン（ＤＬ１，．．．，ＤＬＭ）と連結されうる。
【００４８】
前記第１側領域ＬＡの第１領域Ａ１に配列された前記第１乃至第ｋデータライン（ＤＬ１，．．．，ＤＬｋ）は、複数の迂回ファンアウトライン（ＣＬ１，．．．，ＣＬｋ）を介して、それぞれの該当するファンアウトラインと連結されており、前記第１側領域ＬＡの第２領域Ａ２に配列された前記第ｋ＋１乃至第ｍデータライン（ＤＬｋ＋１，．．．，ＤＬｍ）は、それぞれの該当するファンアウトラインと、直（じか）に連結されうる。
【００４９】
前記第２側領域ＲＡの第１領域Ａ１に配列された前記第ｑ＋１乃至第Ｍデータライン（ＤＬ１q＋１，．．．，ＤＬＭ）は、複数の迂回ファンアウトライン（ＣＬｑ＋１，．．．，ＣＬＭ）を介して、それぞれの該当するファンアウトラインと連結されており、前記第２側領域ＲＡの第２領域Ａ２に配列された前記第ｍ＋１乃至第ｑデータライン（ＤＬｍ＋１，．．．，ＤＬｑ）は、それぞれの該当するファンアウトラインと、直（じか）に連結されうる。
【００５０】
前記第２非表示領域ＮＤＡ２は、前記表示領域ＤＡの外縁を囲む。
【００５１】
前記第２非表示領域ＮＤＡ２中には、前記データラインと、前記迂回ファンアウトラインとを連結するための複数のコンタクト部が配置されうるのであり、また、前記データラインと前記ファンアウトラインとを直（じか）に連結するための複数のコンタクト部も配置されうる。また、一実施形態において、前記第２非表示領域ＮＤＡ２には、複数のゲートラインを駆動する複数のゲート信号を生成するゲート駆動回路が集積して配置できる。
【００５２】
図２は、本発明の一実施形態に従う表示装置の部分拡大平面図である。
【００５３】
一実施形態において、前記表示装置は第１乃至第２８８０データラインを含み、データ駆動回路ＤＩＣは、前記第１乃至第２８８０データラインの各々に、対応するデータ電圧を出力する第１乃至第２８８０出力端子を含むことができる。
【００５４】
図１及び図２を参照すると、前記表示領域ＤＡの第１側領域ＬＡと前記第２側領域ＲＡとは、前記表示領域ＤＡの中央線ＣＴを基準に、左右対称をなす。ここで、前記表示領域ＤＡの第１乃至第２８８０データラインのうち、前記第１側領域ＬＡに配列された第１乃至第１４４０データライン（ＤＬ１，．．．，ＤＬ１４４０）と、前記第１及び第２非表示領域ＮＤＡ１、ＮＤＡ２に配列された複数の信号ラインとの間の、配列関係及び連結関係を説明する。
【００５５】
前記表示領域ＤＡの前記第１領域Ａ１には、第１乃至第７２０データライン（ＤＬ１，．．．，ＤＬ７２０）が第２方向（Ｄ２）に沿って順次に配列され、前記表示領域ＤＡの前記第２領域Ａ２には、第７２１乃至第１４４０データライン（ＤＬ７２１，．．．，ＤＬ１４４０）が前記第２方向（Ｄ２）に沿って順次に配列される。
【００５６】
前記第１非表示領域ＮＤＡ１のパッド領域ＰＤＡには、データ駆動回路ＤＩＣが実装される。前記データ駆動回路ＤＩＣは、前記表示領域ＤＡの第１乃至第１４４０データライン（ＤＬ１，．．．，ＤＬ１４４０）の各々に、該当するデータ電圧を出力する第１乃至第１４４０出力端子（Ｔ１，．．．，Ｔ１４４０）を含む。前記第１乃至第１４４０出力端子（Ｔ１，．．．，Ｔ１４４０）は、前記第２方向（Ｄ２）に沿って順次に配列される。
【００５７】
前記第１非表示領域ＮＤＡ１は、前記パッド領域ＰＤＡと前記表示領域ＤＡとの間に、第１ファンアウト領域ＦＯＡ１、第２ファンアウト領域ＦＯＡ２、及びベンディング領域ＢＡを含むことができる。
【００５８】
前記第１ファンアウト領域ＦＯＡ１には、(1) 前記第１領域Ａ１に配列された第１乃至第７２０データライン（ＤＬ１，．．．，ＤＬ７２０）に対応する第１乃至第７２０ファンアウトライン（Ｆ１，．．．，Ｆ７２０）と、(2) 前記第２領域Ａ２に配列された第７２１乃至第１４４０データライン（ＤＬ７２１，．．．，ＤＬ１４４０）に対応する第７２１乃至第１４４０ファンアウトライン（Ｆ７２１，．．．，Ｆ１４４０）と、(3) 第１乃至第７２０迂回ファンアウトライン（ＣＬ１，．．．，ＣＬ７２０）とが配列される。
【００５９】
前記第１乃至第７２０ファンアウトライン（Ｆ１，．．．，Ｆ７２０）は、前記データ駆動回路ＤＩＣの第１乃至第７２０出力端子（Ｔ１，．．．，Ｔ７２０）に、それぞれ連結される。
【００６０】
前記第７２１乃至第１４４０ファンアウトライン（Ｆ７２１，．．．，Ｆ１４４０）は、前記データ駆動回路ＤＩＣの第７２１乃至第１４４０出力端子（Ｔ７２１，．．．，Ｔ１４４０）に、それぞれ連結される。
【００６１】
前記第１乃至第７２０ファンアウトライン（Ｆ１，．．．，Ｆ７２０）は、第１乃至第７２０出力端子（Ｔ１，．．．，Ｔ７２０）との連結箇所（第１端部：入力端部）から、前記データ駆動回路ＤＩＣの一側端部と隣接した領域中へと、即ち、第１出力端子Ｔ１に隣接した領域中へと、順次に延長されて配列される。図２に図示したように、前記第１乃至第７２０ファンアウトライン（Ｆ１，．．．，Ｆ７２０）は、まず、前記データ駆動回路ＤＩＣの長手方向（Ｄ２）に対して垂直の方向（Ｄ１）に延長され、次いで、前記長手方向（Ｄ２）に、折り曲げられて延びる。
【００６２】
前記第１乃至第７２０ファンアウトライン（Ｆ１，．．．，Ｆ７２０）の第１端部（入力端部）は、前記データ駆動回路ＤＩＣの第１乃至第７２０出力端子（Ｔ１，．．．，Ｔ７２０）にそれぞれ連結され、第２端部（出力端部）は、前記データ駆動回路ＤＩＣの一側端部と隣接した領域に形成された複数の第１コンタクト部ＣＰ１に、それぞれ連結される。
【００６３】
前記第７２１乃至第１４４０データライン（ＤＬ７２１，．．．，ＤＬ１４４０）に対応する第７２１乃至第１４４０ファンアウトライン（Ｆ７２１，．．．，Ｆ１４４０）は、第７２１乃至第１４４０出力端子（Ｔ７２１，．．．，Ｔ１４４０）との連結箇所（第１端部：入力端部）から、前記表示領域ＤＡの側へと延長される。
【００６４】
前記第７２１乃至第１４４０ファンアウトライン（Ｆ７２１，．．．，Ｆ１４４０）の第１端部（入力端部）は、前記データ駆動回路ＤＩＣの第７２１乃至第１４４０出力端子（Ｔ７２１，．．．，Ｔ１４４０）にそれぞれ連結され、第２端部（出力端部）は、前記表示領域ＤＡの第２領域Ａ２と隣接した箇所にて第２非表示領域ＮＤＡ２中に形成された、複数の第２コンタクト部ＣＰ２にそれぞれ連結される。
【００６５】
前記第１乃至第７２０迂回ファンアウトライン（ＣＬ１，．．．，ＣＬ７２０）は、前記第１乃至第７２０ファンアウトライン（Ｆ１，．．．，Ｆ７２０）と、前記第１乃至第７２０データライン（ＤＬ１，．．．，ＤＬ７２０）とをそれぞれ連結する。
【００６６】
前記第１乃至第７２０迂回ファンアウトライン（ＣＬ１，．．．，ＣＬ７２０）の第１端部（入力端部）は、前記複数の第１コンタクト部ＣＰ１とそれぞれ連結され、前記第１乃至第７２０迂回ファンアウトライン（ＣＬ１，．．．，ＣＬ７２０）の第２端部（出力端部）は、複数の第３コンタクト部ＣＰ３を介して、前記第１乃至第７２０データライン（ＤＬ１，．．．，ＤＬ７２０）の端部とそれぞれ連結される。前記複数の第３コンタクト部ＣＰ３は、前記表示領域ＤＡの前記第１領域Ａ１と隣接した箇所にて前記第２非表示領域ＮＤＡ２中に形成される。
【００６７】
前記第１乃至第７２０迂回ファンアウトライン（ＣＬ１，．．．，ＣＬ７２０）は、前記第１ファンアウト領域ＦＯＡ１に形成された前記複数の第１コンタクト部ＣＰ１から延長され、前記ベンディング領域ＢＡ及び前記第２ファンアウト領域ＦＯＡ２を通過し、前記表示領域ＤＡの第１及び第２領域Ａ１、Ａ２を迂回して、前記第１乃至第７２０データライン（ＤＬ１，．．．，ＤＬ７２０）の端部に連結される。
【００６８】
前記ベンディング領域ＢＡ及び前記第２ファンアウト領域ＦＯＡ２で、前記第１乃至第７２０迂回ファンアウトライン（ＣＬ１，．．．，ＣＬ７２０）は前記第７２１乃至第１４４０ファンアウトライン（Ｆ７２１，．．．，Ｆ１４４０）と交互に配列できる。
【００６９】
例えば、第２迂回ファンアウトラインＣＬ２は、第１４４０ファンアウトラインＦ１４４０と第１４３９ファンアウトラインＦ１４３９との間に配列されうる。そして、第７２０迂回ファンアウトラインＣＬ７２０は、第７２１ファンアウトラインＦ７２１と第７２２ファンアウトラインＦ７２２との間に配列されうる。
【００７０】
前記第２ファンアウト領域ＦＯＡ２には、前記第２方向に延長された遮蔽電極が配置されうる。前記遮蔽電極は、表示領域ＤＡに配列される有機発光ダイオードを駆動するための電源電圧ＥＶＶＤＤを伝達する、電源電圧ラインＶＬでありうる。前記電源電圧ラインＶＬは、前記第７２１乃至第１４４０ファンアウトライン（Ｆ７２１，．．．，Ｆ１４４０）及び前記第１乃至第７２０迂回ファンアウトライン（ＣＬ１，．．．，ＣＬ７２０）とは異なる金属層でもって形成されうる。
【００７１】
一実施形態において、前記第１乃至第１４４０ファンアウトライン（Ｆ１，．．．，Ｆ１４４０）は、互いに異なる層である第１ゲート金属層及び第２ゲート金属層でもって形成されうる。例えば、奇数番目のファンアウトラインは第１ゲート金属層で形成されうるのであり、偶数番目のファンアウトラインは第２ゲート金属層で形成されうる。
【００７２】
前記第１乃至第１４４０データライン（ＤＬ１，．．．，ＤＬ１４４０）は、第１及び第２ゲート金属層とは異なる第１ソース金属層で形成されうる。
【００７３】
前記電源電圧ラインＶＬは、前記第１ソース金属層でもって形成されうる。
【００７４】
前記第１乃至第１４４０ファンアウトライン（Ｆ１，．．．，Ｆ１４４０）と交差して配列される前記第１乃至第７２０迂回ファンアウトライン（ＣＬ１，．．．，ＣＬ７２０）は、前記第１ソース金属層とは異なる第２ソース金属層でもって形成されうる。
【００７５】
前記電源電圧ラインＶＬは、前記第１及び第２ゲート金属層でもって形成されたファンアウトラインと、前記第２ソース金属層でもって形成された迂回ファンアウトラインとの間に、これらの全ての配線と重ねられて配置されることによって、ファンアウトラインと迂回ファンアウトラインとの間の電気的カップリングを遮蔽することができる。
【００７６】
一実施形態によれば、前記ファンアウト領域のうち、前記データ駆動回路と隣接したファンアウト領域中の箇所にて、前記ファンアウトラインと前記迂回ファンアウトラインとが交差して配列されることによって、前記データ駆動回路に配列された出力端子の配列順序を、前記表示領域に配列されたデータラインの配列順序と同一に設計できる。このようであるので、新規データ駆動回路の開発費用を節減することができる。また、少なくとも、前記表示領域と隣接したファンアウト領域中の箇所にて、前記ファンアウトラインと、前記迂回ファンアウトラインとを、交差させずに、互いに平行に再整列するようにしている。このようにして、信号ライン同士を少なくとも部分的に重ね合わせて配列することによって、信号ラインの配列間隔を縮めることができる。また、特には、前記ファンアウトラインを互いに異なる少なくとも２層に形成し、また、前記迂回ファンアウトラインは前記ファンアウトラインとは異なる層であるソース金属層でもって形成するようにしている。このようにして、信号ライン同士を少なくとも部分的に重ね合わせて配列することによって、配列間隔を縮めることができるのである。したがって、前記表示領域と隣接した箇所でのファンアウト領域について、その長手方向（Ｄ２）のサイズ、即ち、前記第２方向（Ｄ２）での非表示領域のサイズを縮めることができる。また、電気的カップリングを効果的に遮蔽することにより、表示装置の表示品質を向上させることができる。
【００７７】
図３は、本発明の一実施形態に従う表示装置におけるファンアウト領域に配列された信号ラインを説明するための平面図である。図４は、本発明の一実施形態に従う表示装置の断面図である。
【００７８】
図３及び図４を参照すると、前記表示装置は、表示領域ＤＡ、第１非表示領域ＮＤＡ１、及び第２非表示領域ＮＤＡ２を含む。
【００７９】
前記表示装置はベース基板１００を含み、前記ベース基板１００の表示領域ＤＡには、薄膜トランジスタＴＦＴ、及び、前記薄膜トランジスタＴＦＴと連結された有機発光ダイオード（ＯＬＥＤ）１８０が配置されうる。
【００８０】
前記ベース基板１００は、透明または不透明な材料で構成されうる。例えば、前記ベース基板１００は、石英基板、合成石英（synthetic quartz）基板、フッ化カルシウム基板、フッ素がドーピングされた石英（F-doped quartz）基板、ソーダライム（sodalime）ガラス基板、無アルカリ（non-alkali）ガラス基板などを含むのでありうる。これに代えて、前記ベース基板１００は、柔軟性を有する透明樹脂基板からなることもありうる。前記ベース基板１００に利用できる透明樹脂基板の例には、ポリイミド基板を挙げることができる。前記ポリイミド基板は、第１ポリイミド層、バリアフィルム層、第２ポリイミド層などから構成できる。例えば、前記ポリイミド基板は、硬質のガラス基板上にて、第１ポリイミド層、バリアフィルム層、及び第２ポリイミド層を積層することで形成された構成を有することができる。
【００８１】
バッファ層１１０は、前記ベース基板１００から金属原子や不純物が拡散される現象を防止することができ、後述するアクティブパターンＡＣＴを形成するための結晶化工程の間中、熱の伝達速度を調節して、実質的に均一なアクティブパターンＡＣＴが得られるようにすることができる。また、前記バッファ層１１０は、前記ベース基板１００の表面が均一でない場合、前記ベース基板１００の表面の平坦度を向上させる役割を遂行することもできる。前記バッファ層１１０は、シリコン酸化物（ＳｉＯｘ）、シリコン窒化物（ＳｉＮｘ）、シリコン酸窒化物（ＳｉＯｘＮｙ）、シリコン酸炭化物（ＳｉＯｘＣｙ）、シリコン炭窒化物（ＳｉＣｘＮｙ）などのシリコン化合物を使用して形成できる。
【００８２】
アクティブパターンＡＣＴが前記バッファ層１１０上に配置されうる。前記アクティブパターンＡＣＴは、非晶質シリコンを含むか、または多結晶シリコンを含むことができる。他の実施形態によると、前記アクティブパターンＡＣＴは、インジウム（Ｉｎ）、ガリウム（Ｇａ）、ステニウム（Ｓｎ）、ジルコニウム（Ｚｒ）、バナジウム（Ｖ）、ハフニウム（Ｈｆ）、カドミウム（Ｃｄ）、ゲルマニウム（Ｇｅ）、クロム（Ｃｒ）、チタニウム（Ｔｉ）、及び亜鉛（Ｚｎ）を含む群から選択された少なくとも１つ以上の物質で形成された酸化物半導体を含むことができる。
【００８３】
アクティブパターンＡＣＴは、前記表示領域ＤＡ内に配置されて画素構造をなす薄膜トランジスタＴＦＴに含まれうる。前記アクティブパターンＡＣＴは、不純物がドーピング（doping）されたドレイン領域とソース領域、及び前記ドレイン領域と前記ソース領域との間のチャンネル領域を含むことができる。
【００８４】
第１絶縁層１２０は、前記アクティブパターン上に配置できる。前記第１絶縁層１２０は、無機絶縁物質を含むことができる。例えば、前記第１絶縁層１２０は、シリコン酸化物（ＳｉＯｘ）、シリコン窒化物（ＳｉＮｘ）、シリコン酸窒化物（ＳｉＯｘＮｙ）、シリコン酸炭化物（ＳｉＯｘＣｙ）、シリコン炭窒化物（ＳｉＣｘＮｙ）などのシリコン化合物を使用して形成できる。
【００８５】
第１ゲートパターンは、前記第１絶縁層１２０上に配置されうる。前記第１ゲートパターンは、第１ゲート金属層で形成できる。前記第１ゲートパターンは、前記表示領域ＤＡに形成されたゲートライン、前記ゲートラインと連結されたゲート電極ＧＥ、及び第１ストレージ電極Ｅ１を含むことができ、前記非表示領域ＮＤＡ１に形成された複数のファンアウトライン（Ｆ７２１、Ｆ７２３，．．．，Ｆ１４４０）を含むことができる。
【００８６】
前記第１ゲートパターンは、金属、合金、金属窒化物、導電性金属酸化物、透明導電性物質などを使用して形成できる。例えば、前記ゲートパターンは、伝導性の高い銅、アルミニウムなどの金属を含むことができる。
【００８７】
第２絶縁層１３０は、前記第１ゲートパターンが配置された前記第１絶縁層１２０の上に配置できる。前記第２絶縁層１３０は無機絶縁物質を含むことができる。例えば、前記第２絶縁層１３０は、シリコン酸化物（ＳｉＯｘ）、シリコン窒化物（ＳｉＮｘ）、シリコン酸窒化物（ＳｉＯｘＮｙ）、シリコン酸炭化物（ＳｉＯｘＣｙ）、シリコン炭窒化物（ＳｉＣｘＮｙ）などのシリコン化合物を使用して形成できる。
【００８８】
第２ゲートパターンは、前記第２絶縁層１３０上に配置されうる。前記第２ゲートパターンは、第２ゲート金属層で形成できる。前記第２ゲートパターンは、前記表示領域ＤＡに形成された第２ストレージ電極Ｅ２を含むことができ、前記非表示領域ＮＤＡ１に形成された複数のファンアウトライン（Ｆ７２２、Ｆ７２４，．．．，Ｆ１４３９）を含むことができる。
【００８９】
前記第２ゲートパターンは、金属、合金、金属窒化物、導電性金属酸化物、透明導電性物質などを使用して形成できる。例えば、前記ゲートパターンは伝導性の高い銅、アルミニウムなどの金属を含むことができる。
【００９０】
第３絶縁層１４０は、前記第２ゲートパターンが配置された前記第２絶縁層１２０上に配置されうる。前記第３絶縁層１４０は、無機絶縁物質を含むことができる。例えば、前記第３絶縁層１４０は、シリコン酸化物（ＳｉＯｘ）、シリコン窒化物（ＳｉＮｘ）、シリコン酸窒化物（ＳｉＯｘＮｙ）、シリコン酸炭化物（ＳｉＯｘＣｙ）、シリコン炭窒化物（ＳｉＣｘＮｙ）などのシリコン化合物を使用して形成できる。
【００９１】
第１ソースパターンは、前記第３絶縁層１４０上に配置できる。前記第１ソースパターンは、第１ソース金属層で形成できる。前記第１ソースパターンは、前記表示領域ＤＡに形成されたデータライン（ＤＬ７２１、ＤＬ７２２，．．．，ＤＬ１４４０）、ソース電極ＳＥ及びドレイン電極ＤＥを含むことができ、前記非表示領域ＮＤＡ１に形成された電源電圧ラインＶＬを含むことができる。
【００９２】
前記第１ソースパターンは、複数の層からなる積層構造を有することができる。例えば、前記第１ソースパターンは、ベース層としてのチタニウム層、前記チタニウム層上の中間層としてのアルミニウム層、及び前記アルミニウム層上のキャッピング層としてのチタニウム層を含む３層の積層構造とすることができる。
【００９３】
第４絶縁層１５０は、前記第１ソースパターンが配置された前記第３絶縁層１４０上に配置できる。例えば、前記第４絶縁層１５０は、シリコン酸化物（ＳｉＯｘ）、シリコン窒化物（ＳｉＮｘ）、シリコン酸窒化物（ＳｉＯｘＮｙ）、シリコン酸炭化物（ＳｉＯｘＣｙ）、シリコン炭窒化物（ＳｉＣｘＮｙ）などのシリコン化合物を使用して形成できる。または、前記第４絶縁層１５０は、フォトレジスト、ポリアクリル系樹脂、ポリイミド系樹脂、アクリル系樹脂などを使用して形成することができる。
【００９４】
第２ソースパターンは、前記第４絶縁層１５０上に配置されうる。前記第２ソースパターンは、第２ソース金属層で形成できる。前記第２ソースパターンは、前記表示領域ＤＡに形成された迂回ファンアウトライン（ＣＬ１、ＣＬ２，．．．，ＣＬ７２０）及び前記ドレイン電極ＤＥと連結される連結電極ＣＥを含むことができ、前記非表示領域ＮＤＡに形成された迂回ファンアウトライン（ＣＬ１、ＣＬ２，．．．，ＣＬ７２０）を含むことができる。
【００９５】
前記第２ソースパターンは、複数の層からなる積層構造を有することができる。例えば、前記第２ソースパターンは、チタニウム層、前記チタニウム層上のアルミニウム層、及び前記アルミニウム層上のチタニウム層を含む積層構造とすることができる。
【００９６】
第５絶縁層１６０は、前記第２ソースパターンが配置された前記第４絶縁層１５０上に配置できる。例えば、前記第５絶縁層１６０は、シリコン酸化物（ＳｉＯｘ）、シリコン窒化物（ＳｉＮｘ）、シリコン酸窒化物（ＳｉＯｘＮｙ）、シリコン酸炭化物（ＳｉＯｘＣｙ）、シリコン炭窒化物（ＳｉＣｘＮｙ）などのシリコン化合物を使用して形成できる。または、前記第５絶縁層１６０は、フォトレジスト、ポリアクリル系樹脂、ポリイミド系樹脂、アクリル系樹脂などを使用して形成することができる。
【００９７】
有機発光ダイオード１８０は、前記第５絶縁層１６０上に配置されうる。
【００９８】
前記有機発光ダイオード１８０は、第１電極１８１、発光層１８２、及び第２電極１８３を含むことができる。
【００９９】
前記第１電極１８１は、前記第５絶縁層１６０上に配置されうる。前記表示装置の発光方式によって、前記第１電極１８１は反射性を有する導電物質または透光性を有する導電物質を使用して形成できる。例示的な実施形態において、前記第１電極１８１は、金属膜、合金膜、金属窒化物膜、導電性金属酸化物膜、及び／又は、透明導電性物質膜を含む単層構造または積層構造で形成できる。
【０１００】
前記画素区画膜ＰＬＤは、前記第１電極１８１が配置された前記ビア絶縁層１５０上に配置されうる。前記画素区画膜ＰＬＤは、有機物質、無機物質などを使用して形成できる。例えば、前記画素区画膜ＰＬＤは、フォトレジスト、ポリアクリル系樹脂、ポリイミド系樹脂、アクリル系樹脂、シリコン化合物などを使用して形成できる。例示的な実施形態によれば、前記画素区画膜ＰＬＤをエッチングして前記第１電極１８１を部分的に露出させる開口（opening）を形成することができる。このような前記画素区画膜ＰＬＤの開口により、前記表示装置における発光領域と非発光領域とを区画形成できる。例えば、前記画素区画膜ＰＬＤの開口が位置する部分が前記発光領域に該当しうるのであり、前記非発光領域は、前記画素区画膜ＰＬＤの配置箇所、すなわち前記開口に隣接する部分に該当しうる。
【０１０１】
前記発光層１８２は、前記画素区画膜ＰＬＤの開口を通じて露出する前記第１電極１８１の上に配置されうる。また、前記発光層１８２は、前記画素区画膜ＰＬＤにおける前記開口の側壁面（周壁面）上にまで延長されうる。例示的な実施形態において、前記発光層１８２は、有機発光層ＥＬ、正孔注入層ＨＩＬ、正孔輸送層ＨＴＬ、電子輸送層ＥＴＬ、電子注入層ＥＩＬなどを含む多層の積層構造を有することができる。他の実施形態において、前記有機発光層を除いて、前記正孔注入層、前記正孔輸送層、前記電子輸送層、及び前記電子注入層などは、複数の画素に対応する（複数の画素にわたって延びる）ように、共通に形成されうる。前記発光層１８２の有機発光層は、前記表示装置の画素ごとに、赤色光、緑色光、青色光などの、互いに相異する色の光を発生させることができる発光物質を使用して形成されうる。他の例示的な実施形態によれば、前記発光層１８２の有機発光層は、赤色光、緑色光、青色光などの相異なる色の光を具現することができる複数の発光物質が積層されて、白色光を発光する構造を有することもできる。この場合、前記発光構造物は、複数の画素に対応する（複数の画素にわたって延びる）ように共通に形成され、前記カラーフィルタ層により各々の画素が区分されるのでありうる。
【０１０２】
前記第２電極１８３は、前記画素区画膜ＰＬＤ及び前記発光層１８２上に配置されうる。前記表示装置の発光方式によって、前記第２電極１８３は透光性を有する導電物質または反射性を有する導電物質を含むことができる。例示的な実施形態において、前記第２電極１８３も、金属膜、合金膜、金属窒化物膜、導電性金属酸化物膜、及び／又は、透明導電性物質膜を含む単層構造または積層構造で形成できる。
【０１０３】
薄膜封止層ＴＦＥは、前記第２電極１８３上に配置されうる。前記薄膜封止層ＴＦＥは、外部の湿気及び酸素の侵入を防止することができる。前記薄膜封止層ＴＦＥは、少なくとも１つの有機層と、少なくとも１つの無機層とを備えることができる。少なくとも１つの有機層と、少なくとも１つの無機層とは、互いに交互に積層されうる。例えば、前記薄膜封止層ＴＦＥは、２つの無機層と、これらの間の１つの有機層を含むことができるが、これに制限されるのではない。他の実施形態において、前記薄膜封止層の代わりに、外気及び水分の前記表示装置の内部への侵入を遮断するための封入基板が、備えられうる。
【０１０４】
本実施形態によれば、前記非表示領域ＮＤＡ１に配列された前記複数のファンアウトラインのうちの、一部は第１ゲート金属層で形成され、残りの一部は第２ゲート金属層で形成されるのでありうる。また、前記ファンアウトラインと交差する迂回ファンアウトラインは、第２ソース金属層で形成されうる。前記ファンアウトラインと、前記迂回ファンアウトラインとの間には、第１ソース金属層で形成された電源電圧ラインが必ず配置されるようにすることができる。このようにして、前記ファンアウトラインと前記迂回ファンアウトラインとの間の電気的カップリングを遮蔽することができる。このように遮蔽することによって、前記ファンアウトライン及び前記迂回ファンアウトラインの配列間隔を縮めることができ、結果的に前記非表示領域を縮めることができる。
【０１０５】
図５は、本発明の一実施形態に従う表示装置の部分拡大平面図である。
【０１０６】
一実施形態において、前記表示装置は第１乃至第２８８０データラインを含み、データ駆動回路ＤＩＣは前記第１乃至第２８８０データラインの各々に対応して第１乃至第２８８０の出力端子を含むことができる。
【０１０７】
図１及び図５を参照すると、前記表示領域ＤＡにおける第１側領域ＬＡと前記第２側領域ＲＡとは、前記表示領域ＤＡの中央線ＣＴを基準に、左右対称をなす。ここで、前記表示領域ＤＡの第１乃至第２８８０データラインのうち、前記第１側領域ＬＡに配列された第１乃至第１４４０データライン（ＤＬ１，．．．，ＤＬ１４４０）と、前記第１及び第２非表示領域ＮＤＡ１、ＮＤＡ２に配列された複数の信号ラインとの間の、配列関係及び連結関係を説明する。
【０１０８】
前記表示領域ＤＡの前記第１領域Ａ１には、第１乃至第７２０データライン（ＤＬ１，．．．，ＤＬ７２０）が第２方向（Ｄ２）に沿って順次に配列され、前記表示領域ＤＡの前記第２領域Ａ２には、第７２１乃至第１４４０データライン（ＤＬ７２１，．．．，ＤＬ１４４０）が前記第２方向（Ｄ２）に沿って順次に配列される。
【０１０９】
前記第１非表示領域ＮＤＡ１のパッド領域ＰＤＡには、データ駆動回路ＤＩＣが実装される。前記データ駆動回路ＤＩＣは、前記表示領域ＤＡの第１乃至第１４４０データライン（ＤＬ１，．．．，ＤＬ１４４０）に対応して、第１乃至第１４４０出力端子（Ｔ１，．．．，Ｔ１４４０）を含む。前記第１乃至第１４４０出力端子（Ｔ１，．．．，Ｔ１４４０）は、前記第２方向（Ｄ２）に沿って順次に配列される。
【０１１０】
前記第１非表示領域ＮＤＡ１は、前記パッド領域ＰＤＡと前記表示領域ＤＡとの間に、第１ファンアウト領域ＦＯＡ１、第２ファンアウト領域ＦＯＡ２、及びベンディング領域ＢＡを含むことができる。
【０１１１】
前記第１ファンアウト領域ＦＯＡ１には、第１乃至第１４４０ファンアウトライン（Ｆ１，．．．，Ｆ１４４０）のみが配列される。前記第１乃至第１４４０ファンアウトライン（Ｆ１，．．．，Ｆ１４４０）は、前記データ駆動回路ＤＩＣの第１乃至第１４４０出力端子（Ｔ１，．．．，Ｔ１４４０）に、順次に連結される。前記第１ファンアウト領域ＦＯＡ１中にて、前記第１乃至第１４４０ファンアウトライン（Ｆ１，．．．，Ｆ１４４０）は、いずれも、第１乃至第７２０出力端子（Ｔ１，．．．，Ｔ７２０）との連結箇所（第１端部：入力端部）から、前記第１方向（Ｄ１）に直線状に延びており、少なくとも前記ベンディング領域ＢＡを通り抜けるまで延長されうる。
【０１１２】
前記第１乃至第１４４０ファンアウトライン（Ｆ１，．．．，Ｆ１４４０）のうちの、一部分は第１ゲート金属層で形成され、残りの部分は、前記第１ゲート金属層から絶縁層でもって電気的に絶縁された第２ゲート金属層で形成されうる。
【０１１３】
前記第２ファンアウト領域ＦＯＡ２には、前記第１乃至第１４４０ファンアウトライン（Ｆ１，．．．，Ｆ１４４０）及び第１乃至第７２０迂回ファンアウトライン（ＣＬ１，．．．，ＣＬ７２０）が配列される。
【０１１４】
前記第２ファンアウト領域ＦＯＡ２中にて、前記第１乃至第１４４０ファンアウトライン（Ｆ１，．．．，Ｆ１４４０）のうちで、前記第１領域Ａ１に配列された第１乃至第７２０データライン（ＤＬ１，．．．，ＤＬ７２０）に対応する、第１乃至第７２０ファンアウトライン（Ｆ１，．．．，Ｆ７２０）は、第１乃至第７２０出力端子（Ｔ１，．．．，Ｔ７２０）との連結箇所（第１端部：入力端部）から、前記データ駆動回路ＤＩＣの一側端部と隣接した領域中へと、即ち、第１出力端子Ｔ１と隣接した領域中へと延長され、順次に配列される。図５に図示したように、前記第１乃至第７２０ファンアウトライン（Ｆ１，．．．，Ｆ７２０）は、まず、前記データ駆動回路ＤＩＣの長手方向（Ｄ２）に対して垂直の方向（Ｄ１）に延長され、次いで、前記長手方向（Ｄ２）に折り曲げられて延びる。
【０１１５】
前記第１乃至第７２０ファンアウトライン（Ｆ１，．．．，Ｆ７２０）は、前記第１ファンアウト領域ＦＯＡ１を通り抜けて延長され、第２端部（出力端部）が、前記第２ファンアウト領域ＦＯＡ２におけるデータ駆動回路ＤＩＣの側の箇所に形成された複数の第１コンタクト部ＣＰ１に、それぞれ連結される。
【０１１６】
前記第１乃至第１４４０ファンアウトライン（Ｆ１，．．．，Ｆ１４４０）のうち、前記第２領域Ａ２に配列された第７２１乃至第１４４０データライン（ＤＬ７２１，．．．，ＤＬ１４４０）に対応する第７２１乃至第１４４０ファンアウトライン（Ｆ７２１，．．．，Ｆ１４４０）は、第７２１乃至第１４４０出力端子（Ｔ７２１，．．．，Ｔ１４４０）との連結箇所（第１端部：入力端部）から、前記表示領域ＤＡの側へと延長される。
【０１１７】
前記第７２１乃至第１４４０ファンアウトライン（Ｆ７２１，．．．，Ｆ１４４０）は、前記第１ファンアウト領域ＦＯＡ１を通り抜けて延長され、第２端部（出力端部）が、第２非表示領域ＮＤＡ２における前記表示領域ＤＡの第２領域Ａ２と隣接した箇所に形成された複数の第２コンタクト部ＣＰ２に、それぞれ連結される。
【０１１８】
前記第１乃至第７２０迂回ファンアウトライン（ＣＬ１，．．．，ＣＬ７２０）は、前記第１乃至第７２０ファンアウトライン（Ｆ１，．．．，Ｆ７２０）と、前記第１乃至第７２０データライン（ＤＬ１，．．．，ＤＬ７２０）とを、それぞれ連結する。
【０１１９】
前記第１乃至第７２０迂回ファンアウトライン（ＣＬ１，．．．，ＣＬ７２０）の第１端部（入力端部）は、前記複数の第１コンタクト部ＣＰ１とそれぞれ連結され、前記第１乃至第７２０迂回ファンアウトライン（ＣＬ１，．．．，ＣＬ７２０）の第２端部（出力端部）は、複数の第３コンタクト部ＣＰ３を介して、前記第１乃至第７２０データライン（ＤＬ１，．．．，ＤＬ７２０）の端部と、それぞれ連結される。前記複数の第３コンタクト部ＣＰ３は、前記表示領域ＤＡの前記第１領域Ａ１と隣接した前記第２非表示領域ＮＤＡ２中に形成される。
【０１２０】
前記第１乃至第７２０迂回ファンアウトライン（ＣＬ１，．．．，ＣＬ７２０）は、前記第２ファンアウト領域ＦＯＡ２に形成された前記複数の第１コンタクト部ＣＰ１に始まり、前記表示領域ＤＡの第１及び第２領域Ａ１、Ａ２を迂回して前記第１乃至第７２０データライン（ＤＬ１，．．．，ＤＬ７２０）に連結される。
【０１２１】
前記第２ファンアウト領域ＦＯＡ２中にて、前記第１乃至第７２０迂回ファンアウトライン（ＣＬ１，．．．，ＣＬ７２０）の各々は、前記第７２１乃至第１４４０ファンアウトライン（Ｆ７２１，．．．，Ｆ１４４０）同士の間の間隙ごとに配列される。
【０１２２】
例えば、第２迂回ファンアウトラインＣＬ２は、第１４４０ファンアウトラインＦ１４４０及び第１４３９ファンアウトラインＦ１４３９の間に配列される。そして、第７２０迂回ファンアウトラインＣＬ７２０は、第７２１ファンアウトラインＦ７２１と第７２２ファンアウトラインＦ７２２との間の間隙に沿って配列される。
【０１２３】
前記第２ファンアウト領域ＦＯＡ２には、電源電圧ラインＶＬが、前記第２方向に延長されて配置されうる。前記電源電圧ラインＶＬは、例えば、表示領域ＤＡに配列される有機発光ダイオードを駆動するための電源電圧ＥＶＶＤＤを伝達することができる。前記電源電圧ラインＶＬは、前記第７２１乃至第１４４０ファンアウトライン（Ｆ７２１，．．．，Ｆ１４４０）及び前記第１乃至第７２０迂回ファンアウトライン（ＣＬ１，．．．，ＣＬ７２０）とは異なるソース金属層でもって形成できる。
【０１２４】
前記第１乃至第１４４０データライン（ＤＬ１，．．．，ＤＬ１４４０）は、第１及び第２ゲート金属層とは異なる第１ソース金属層でもって形成できる。
【０１２５】
前記電源電圧ラインＶＬは、前記第１ソース金属層でもって形成できる。前記第１乃至第７２０迂回ファンアウトライン（ＣＬ１，．．．，ＣＬ７２０）は、前記第１ソース金属層とは異なる第２ソース金属層で形成できる。
【０１２６】
図５を参照しつつ説明した上記の一実施形態によれば、前記データ駆動回路に配列された出力端子の配列順序を、前記表示領域に配列されたデータラインの配列順序と同一に設計することができるので、新規データ駆動回路の開発費用を節減することができる。また、前記ファンアウト領域に配列される前記ファンアウトラインを、互いに異なる少なくとも２つの導電層に形成し、前記迂回ファンアウトラインは、前記ファンアウトラインと異なる層であるソース金属層で形成する。このようにして、信号ライン同士を少なくとも部分的に重ね合わせて配列することによって、前記ファンアウト領域のサイズを縮めることができる。前記ファンアウトラインと、前記迂回ファンアウトラインとの間には、異なるソース金属層で形成された電圧ラインを配置することによって、電気的カップリングを遮蔽することができる。これによって、前記表示装置の非表示領域を縮めることができるとともに、表示品質を向上させることができる。
【０１２７】
図６は本発明の実施形態に従う電子機器を示すブロック図であり、図７ａは図６の電子機器がテレビジョンとして具現された一例を示す図であり、図７ｂは図６の電子機器がスマートフォンとして具現された一例を示す図である。
【０１２８】
図６乃至図７ｂを参照すると、電子機器５００は、プロセッサ５１０、メモリ装置５２０、ストレージ装置５３０、入出力装置５４０、パワーサプライ５５０、及び表示装置５６０を含むことができる。この際、前記表示装置５６０は図１の表示装置に相応することができる。前記電子機器５００は、ビデオカード、サウンドカード、メモリカード、ＵＳＢ装置などと通信するか、または他のシステムと通信できるいろいろなポート（port）をさらに含むことができる。一実施形態において、図７ａに図示したように、前記電子機器５００はテレビとして具現できる。他の実施形態において、図７ｂに図示したように、前記電子機器５００はスマートフォンとして具現できる。但し、これは例示的なものであって、前記電子機器５００はそれに限定されない。例えば、前記電子機器５００は、携帯電話、ビデオフォン、スマートパッド（smart pad）、スマートウォッチ（smart watch）、タブレット（tablet）ＰＣ、車両用ナビゲーション、コンピュータモニター、ノートブックＰＣ、ヘッドマウントディスプレイ（head mounted display；ＨＭＤ）などで具現されることもできる。
【０１２９】
前記プロセッサ５１０は特定の計算またはタスク（task）を遂行することができる。実施形態によって、前記プロセッサ５１０は、マイクロプロセッサ（microprocessor）、中央処理ユニット（Central Processing Unit；ＣＰＵ）、アプリケーションプロセッサ（Application Processor；ＡＰ）などでありうる。前記プロセッサ５１０は、アドレスバス（address bus）、制御バス（control bus）、及びデータバス（data bus）などを介して、他の構成要素に連結されうる。実施形態によっては、前記プロセッサ５１０は、周辺構成要素相互連結（Peripheral Component Interconnect；ＰＣＩ）バスといった拡張バスにも連結されうる。前記メモリ装置５２０は、前記電子機器５００の動作に必要なデータを格納することができる。例えば、前記メモリ装置５２０は、ＥＰＲＯＭ（Erasable Programmable Read-Only Memory）装置、ＥＥＰＲＯＭ（Electrically Erasable Programmable Read-Only Memory）装置、フラッシュメモリ装置（flash memory device）、ＰＲＡＭ（Phase Change Random Access Memory）装置、ＲＲＡＭ（登録商標）（Resistance Random Access Memory）装置、ＮＦＧＭ（Nano Floating Gate Memory）装置、ポリマーＲＡＭ（Polymer Random Access Memory；ＰｏＲＡＭ）装置、ＭＲＡＭ（Magnetic Random Access Memory）、ＦＲＡＭ （登録商標）（Ferroelectric Random Access Memory）装置などの不揮発性メモリ装置、及び／又は、ＤＲＡＭ（Dynamic Random Access Memory）装置、ＳＲＡＭ（Static Random Access Memory）装置、モバイルＤＲＡＭ装置などの揮発性メモリ装置を含むことができる。前記ストレージ装置５３０は、ソリッドステートドライブ（Solid State Drive；ＳＳＤ）、ハードディスクドライブ（Hard Disk Drive；ＨＤＤ）、ＣＤ−ＲＯＭなどを含むことができる。前記入出力装置５４０は、キーボード、キーパッド、タッチパッド、タッチスクリーン、マウスなどの入力手段、及びスピーカー、プリンタなどの出力手段を含むことができる。前記パワーサプライ５５０は、前記電子機器５００の動作に必要なパワー（電源）を供給することができる。
【０１３０】
前記表示装置５６０は、前記バスまたは他の通信リンクを介して他の構成要素に連結できる。実施形態によって、前記表示装置５６０は前記入出力装置５４０に含まれることもできる。
【０１３１】
前述したように、前記表示装置５６０は表示領域内に迂回ファンアウトラインを含む場合、データ駆動回路と隣接したファンアウト領域でファンアウトラインと迂回ファンアウトラインを交差し、表示領域と隣接したファンアウト領域でファンアウトラインと迂回ファンアウトラインを再整列することによって、データ駆動回路に配列された出力端子の配列順序を前記表示領域に配列されたデータラインの配列順序と同一に具現することができる。
【０１３２】
これによって、ファンアウト領域に対応する非表示領域のサイズを減少させることができ、表示品質を向上させることができる。但し、これに対しては前述したことがあるので、それに対する重複する説明は省略する。
【０１３３】
好ましい一実施形態によると、本件の課題は、下記(i)〜(iii)の少なくとも一つである。
【０１３４】
(i) 駆動ＩＣから表示領域中の配線へとデータ信号などを供給するために、一般に、駆動ＩＣの出力部から、表示領域の縁にまで延びるファンアウト配線（斜めに延びて広がる引き出し配線）が、基板の端部に配列される。
このファンアウト配線を配置する領域のサイズ（基板の縁に沿って延びる領域の幅及び長さ）を小さくするのが望ましい。
【０１３５】
(ii) 特には、下記(a)及び(b)の少なくとも一方である場合、表示画面における駆動ＩＣの側の縁のうち、中央の側の部分（特には直線状の部分）のみを通って、ファンアウト配線から表示画面中の信号線への入力が行なわれるのが望ましい。
【０１３６】
(a) 表示画面は、矩形（長方形または正方形）の角を丸めた形状（「角丸デザイン」）である。
【０１３７】
特には、四隅の角部(corner portion)が、円弧状または楕円弧状などとなっている。
【０１３８】
ファンアウト配線が配列される方向を基準として、左右の丸められた角部(rounded corner portion)の合計の寸法は、表示画面の寸法の、例えば７〜４０％または１０〜３５％である。
【０１３９】
(b) 表示パネルを内蔵する端末機器の外縁と、表示画面の縁との間の間隔が非常に小さい。
【０１４０】
特には、端末機器の正面の面積に対する表示画面の面積の比率（スクリーン対ボディ比；screen-to-body ratio）が、例えば、８５％以上、９０％以上、または９５％以上である。
【０１４１】
ここでの端末機器は、例えば、スマートフォンやタブレットＰＣなどの携帯機器、または、テレビやコンピューターの据え置き式のディスプレイである。
【０１４２】
(iii) 上記(a)または(b)のような状況などに対応すべく、ファンアウトラインの配列様式に関連して、端末機器などに合わせた、データ駆動回路の設計の変更が、しばしば求められる。ところが、特には、出力端子の配列を変更せずに、同一の駆動ＩＣ設計を、複数の表示装置に適用可能とするのが望ましい。
【０１４３】
好ましい一実施形態によると、上記課題に対処すべく、下記Ａ１〜Ａ４となっている。さらに、好ましくはＡ５〜Ａ８の少なくとも一つとなっている。
【０１４４】
Ａ１  ファンアウト配線（F1〜F1440）が配列される方向を左右(D2)方向とした場合、表示画面(DA)における左右方向の中心領域(A2)と、その外側の領域(A1)とでは、駆動ＩＣの出力端から、表示画面内の信号線(DL1〜Dm)への供給配線の形態を異にする。
【０１４５】
Ａ２  左右方向の中心領域(A2)に位置する信号線(DLk+1〜Dm)に対しては、左右方向内側に位置するファンアウト配線群（F721〜F1440）を通じて、駆動入力が行なわれる。
【０１４６】
内側のファンアウト配線群（F721〜F1440）は、駆動ＩＣにおける左右方向中心部に位置する出力端(T721〜T1440)から、表示画面の縁にまで延びて信号線(DLk+1〜Dm)に連結される。
【０１４７】
Ａ３  表示画面(DA)における左右方向外側部分に位置する信号線(DL1〜DLk)に対しては、外側のファンアウト配線群（F1〜F720）と、迂回ファンアウト配線群（CL1〜CL720）とを通じて、駆動入力が行なわれる。
【０１４８】
各迂回ファンアウト配線（CL1〜CL720）は、入力端が、対応するファンアウト配線（F1〜F720）の出力端と連結され、出力端が、対応する信号線(DL1〜DLk)に連結される。
【０１４９】
Ａ４  迂回ファンアウト配線群（CL1〜CL720）と、ファンアウト配線群（F1〜F1440）とは、互いに異なる金属パターン層中に形成され、絶縁層を貫くコンタクトホールを通じて、対応するもの同士、互いに連結されている。
【０１５０】
そして、各迂回ファンアウト配線（CL1〜CL720）は、少なくとも一つの交差部にて、絶縁層を介して、ファンアウト配線（F1〜F1440）と交差している。
【０１５１】
Ａ５  各迂回ファンアウト配線（CL1〜CL720）は、信号線(DL1〜Dk)とは、互いに異なる金属パターン層中に形成され、絶縁層を貫くコンタクトホールを通じて互いに連結されている。
【０１５２】
Ａ６  各迂回ファンアウト配線（CL1〜CL720）は、入力端の側から順に、
ファンアウト配線（F1〜F1440）と交差して延びる第１部分（b1）と、
ファンアウト配線（F1〜F1440）及び／または内側領域(A2)の信号線(DLk+1〜Dm)に沿って延びる第２部分(a1)と、
信号線(DL1〜Dm)に交差して延びる第３部分（b2）と、
外側領域(A1)の信号線(DL1〜Dk)に沿って延びる第４部分(a2)と、
を含む。
【０１５３】
Ａ７  各迂回ファンアウト配線（CL1〜CL720）は、角張ったＣ字状(angled C-shape)であり、ファンアウト配線の配置領域の左右端部を中心に、順次に取り囲むように組み合わされて配列されている。すなわち、平面図にて、多重の入れ子（nesting）のようになっている。
【０１５４】
Ａ８  左右方向の最も外側の信号線(DL1)へ入力するための迂回ファンアウト配線（CL1）が、左右方向の最も内側の信号線(Dm)に沿って延びる部分を有し、
左右方向の縁からｎ番目の信号線(Dｎ)へ入力するための迂回ファンアウト配線（CLｎ）が、表示画面の左右対称軸（中心線ＣＴ）からｎ番目の信号線(Dm-ｎ)に沿って延びる部分を有する。
【０１５５】
この結果、各迂回ファンアウト配線（CL1〜CL720）は、表示画面中で、コの字状(angled U-shape)をなし、このコの字状は、一の信号線に沿って表示画面の内部へと延びて行く部分と、少なくとも一つの信号線を横切る部分と、入力対象の信号線に沿って、駆動ＩＣの側へと戻ってくる部分とからなる。
【０１５６】
さらに好ましい一実施形態において、下記Ｂ１〜Ｂ６の少なくとも一つとなっている。
【０１５７】
Ｂ１  ファンアウト配線（F1〜F1440）の配置領域中には、一定の電圧を供給するための電圧ライン（電源電圧ラインＶＬ）が、表示画面(DA)の縁に沿って延びている。
【０１５８】
Ｂ２  電圧ライン（電源電圧ラインＶＬ）が属する属パターン層は、積層方向にて、ファンアウト配線（F1〜F1440）が属する金属パターン層と、迂回ファンアウト配線（CL1〜CL720）が属する金属パターン層との中間にある。
これにより、ファンアウト配線（F1〜F1440）と、迂回ファンアウト配線（CL1〜CL720）とが、少なくとも部分的に重ね合わされた場合にも、これらの間の電気的カップリング（寄生容量の形成）を防止または抑制する。
【０１５９】
Ｂ３  ファンアウト配線（F1〜F1440）は、隣り合うもの同士が、相異なる金属パターン層中に位置する。これにより、隣り合うファンアウト配線（F1〜F1440）は、互いに絶縁層（特には第２ゲート絶縁層；第２絶縁層１３０）により隔てられているので、左右の縁部同士を近接させるか、または部分的に重ねることができる。
【０１６０】
この結果、ファンアウト配線（F1〜F1440）は、配線幅を充分に取りつつ、配列の密度を大きくすることができる。
【０１６１】
Ｂ４  ファンアウト配線（F1〜F1440）は、ゲート電極が属する金属パターン層、及び、これとは異なる、第２ゲート電極またはキャパシタ電極が属する金属パターン層に、交互に含まれるように配列される。
【０１６２】
Ｂ５  電圧ライン（電源電圧ラインＶＬ）は、ＴＦＴのソース及びドレイン電極と同時に形成されたものであって、第１層間絶縁膜（第３絶縁層１４０）の上に配置され、
迂回ファンアウト配線（CL1〜CL720）は、ソース及びドレイン電極を覆う第２層間絶縁膜（第４絶縁層１５０）の上に配置され、ドレイン電極ＤＥと、画素電極１８１とを連結する連結電極ＣＥと同時に形成され、平坦化膜（第５絶縁層１６０）により直接に覆われる。
【０１６３】
Ｂ６  ファンアウト配線（F1〜F1440）が配列される領域中には、裏面側に折り返されるベンディング領域ＢＡが含まれる。
【０１６４】
このために、表示パネルは、少なくとも、ファンアウト配線（F1〜F1440）が配列される領域にて、フレキシブル基板上に形成される。特には、有機発光表示パネルである。
【０１６５】
なお、外側のファンアウト配線群（F1〜F720）の出力端と、迂回ファンアウト配線群（CL1〜CL720）の入力端とを接続するコンタクトホールは、ベンディング領域ＢＡの外側（駆動ＩＣ側、本願図２）、または、内側（表示領域側、本願図５）に配置される。
【産業上の利用可能性】
【０１６６】
本発明は、有機発光表示装置及びこれを含む多様な電子機器に適用できる。例えば、本発明は、携帯電話、スマートフォン、ビデオフォン、スマートパッド、スマートウォッチ、タブレットＰＣ、車両用ナビゲーション、テレビジョン、コンピュータモニター、ノートブックＰＣ、ヘッドマウントディスプレイなどに適用できる。
【０１６７】
以上では本発明の例示的な実施形態を参照して説明したが、該当技術分野で通常の知識を有する者であれば、以下の特許請求範囲に記載された本発明の思想及び領域から逸脱しない範囲内で本発明を多様に修正及び変更させることができることを理解することができる。
【符号の説明】
【０１６８】
１０００    表示装置
ＤＡ    表示領域
ＰＡ    周辺領域
ＦＯＡ    ファンアウト領域
ＣＬＡ    迂回ライン領域
ＶＬ    電源電圧ライン
ＮＤＡ１、ＮＤＡ２    第１及び第２非表示領域
ＦＯＡ１、ＦＯＡ２    第１及び第２ファンアウト領域
ＤＬ１，．．．，ＤＬＭ    データライン
ＣＬ１，．．．，ＣＬｋ、ＣＬｑ，．．．，ＣＭ    迂回ファンアウトライン
Ｆ１，．．．，Ｆ１４４０    ファンアウトライン
Ｔ１，．．．，Ｔ１４４０    出力端子
【図１】
2020166239.tif 000003
【図２】
2020166239.tif 000004
【図３】
2020166239.tif 000005
【図４】
2020166239.tif 000006
【図５】
2020166239.tif 000007
【図６】
2020166239.tif 000008
【図７ａ】
2020166239.tif 000009
【図７ｂ】
2020166239.tif 000010